(57)【要約】【課題】スイッチング回路におけるダイオードなどの素子の数やコントロール端子の数を増やすことなく、対応する通信システムの数を増やすことが可能なアンテナスイッチモジュールを提供する。【解決手段】アンテナスイッチモジュール１００Ａは、多層基板によって構成される。スイッチング回路１０６はＧＳＭ８５０，ＧＳＭ９００の受信信号とＧＳＭ８５０，ＧＳＭ９００の送信信号とを切り換える。アンテナから分波回路１０４を介して得られる低い周波数帯域の受信信号が、スイッチング回路１０６によって整合回路１１０に送られると、その受信信号は、整合回路１１０を介した後、２分岐されて、２つのＳＡＷフィルタ１１２，１１４にそれぞれ入力される。ＳＡＷフィルタ１１２は、ＧＳＭ８５０の受信信号のみを通過させ、受信信号端子ＲＸ＿１／ＧＳＭ８５０より出力させる。ＳＡＷフィルタ１１４は、ＧＳＭ９００の受信信号のみを通過させ、受信信号端子ＲＸ＿２／ＧＳＭ９００より出力させる。【選択図】図１
2007259168.tif 000002
【特許請求の範囲】
【請求項１】
複数の通信システムに対応した複数の絶縁層と複数の導体層とを交互に積層してなる多層基板によって構成されるアンテナスイッチモジュールであって、
アンテナ端子に接続され、少なくとも高周波側の周波数帯域を備えたシステムの信号と低周波側の周波数帯域を備えたシステムの信号とに分波するための分波回路と、
前記分波回路に接続され、送信信号と受信信号との切り換えを行うためのスイッチング回路と、
各々が前記スイッチング回路に接続され、各々異なった周波数帯域の受信信号を通過させる複数のＳＡＷフィルタと、
を備えるアンテナスイッチモジュール。
【請求項２】
請求項１に記載のアンテナスイッチモジュールにおいて、
所望の低周波数帯域の信号を通過させることが可能なローパスフィルタを、前記アンテナ端子と前記分波回路との間、または、前記分波回路と前記スイッチ回路との間の信号経路中に配置したことを特徴とするアンテナスイッチモジュール。
【発明の詳細な説明】
【技術分野】
【０００１】
本発明は、例えば、携帯電話などに用いられ、複数の周波数帯域の送信信号及び受信信号を切り換えるためのアンテナスイッチモジュールに関するものである。
【背景技術】
【０００２】
従来におけるアンテナスイッチモジュールとしては、例えば、下記の特許文献１の図１に、３つの通信システム（すなわち、ＧＳＭ，ＤＣＳ，ＷＣＤＭＡ）に対応したアンテナスイッチモジュールが開示されている。
【０００３】
このアンテナスイッチモジュールでは、アンテナ端子に接続され、第１の周波数帯域（ＧＳＭ）の信号を通過させるローパスフィルタと第２及び第３の周波数帯域（ＤＣＳ，ＷＣＤＭＡ）の信号を通過させるハイパスフィルタとを有する分波回路と、その分波回路に接続され、第１の周波数帯域（ＧＳＭ）の送信信号と第１の周波数帯域（ＧＳＭ）の受信信号とを切り換える第１のスイッチング回路と、前述の分波回路に接続され、第２の周波数帯域（ＤＣＳ）の送信信号と第２の周波数帯域（ＤＣＳ）の受信信号と第３の周波数帯域（ＷＣＤＭＡ）の送受信信号とを切り換える第２のスイッチング回路と、第３の周波数帯域（ＷＣＤＭＡ）の送信信号と第３の周波数帯域（ＷＣＤＭＡ）の受信信号とを切り換える共用器と、を備えている。
【０００４】
【特許文献１】国際公開ＷＯ  ０２／０１７４１号公報
【発明の開示】
【発明が解決しようとする課題】
【０００５】
しかしながら、上記した従来のアンテナスイッチモジュールでは、対応する通信システムは３つであったが、対応する通信システムの数を増やそうとした場合、次のような問題点があった。
【０００６】
すなわち、対応する通信システムの数を増やすためには、スイッチング回路において、切り換えるべき信号の数を増やす必要があり、スイッチング回路がダイオードスイッチで構成されている場合、切り換えるべき信号の数を増やした分だけ、スイッチング回路において、ダイオードやインダクタやコンデンサなどの素子の数が増えてしまうと共に、信号の切り換えを制御するためコントロール端子の数も増えてしまうという問題があった。
【０００７】
従って、本発明の目的は、上記した従来技術の問題点を解決し、スイッチング回路におけるダイオードなどの素子の数やコントロール端子の数を増やすことなく、対応する通信システムの数を増やすことが可能なアンテナスイッチモジュールを提供することにある。
【課題を解決するための手段】
【０００８】
上記した目的の少なくとも一部を達成するために、本発明のアンテナスイッチモジュールは、複数の通信システムに対応した複数の絶縁層と複数の導体層とを交互に積層してなる多層基板によって構成されるアンテナスイッチモジュールであって、
アンテナ端子に接続され、少なくとも高周波側の周波数帯域を備えたシステムの信号と低周波側の周波数帯域を備えたシステムの信号とに分波するための分波回路と、
前記分波回路に接続され、送信信号と受信信号との切り換えを行うためのスイッチング回路と、
各々が前記スイッチング回路に接続され、各々異なった周波数帯域の受信信号を通過させる複数のＳＡＷフィルタと、
を備えることを要旨とする。
【０００９】
このように、本発明の本発明のアンテナスイッチモジュールでは、スイッチング回路の後段に、所望の周波数帯域の信号を通過させることが可能な複数のＳＡＷフィルタを設け、スイッチング回路から出力された受信信号を分岐して、それらＳＡＷフィルタにそれぞれ入力させ、各ＳＡＷフィルタによって、必要な周波数帯域の受信信号のみを取り出すようにしている。
【００１０】
従って、本発明のアンテナスイッチモジュールによれば、スイッチング回路の後段に、各通信システムにそれぞれ対応するように、所望の周波数帯域の信号を通過させることが可能な複数のＳＡＷフィルタを設けて、スイッチング回路から出力されて分岐された受信信号を、それらＳＡＷフィルタにそれぞれ入力させるようにするだけであって、従来のごとく、スイッチング回路において、切り換えるべき信号の数を増やす必要がないため、スイッチング回路におけるダイオード，インダクタ，コンデンサなどの素子の数やコントロール端子の数を増やすことなく、対応する通信システムの数を増やすことができる。
【００１１】
本発明のアンテナスイッチモジュールにおいて、所望の低周波数帯域の信号を通過させることが可能なローパスフィルタを、前記アンテナ端子と前記分波回路との間、または、前記分波回路と前記スイッチ回路との間の信号経路中に配置することが好ましい。
【００１２】
こうすることにより、このローパスフィルタによって、複数の通信システムの送信信号に対するノイズ成分（すなわち、２倍波，３倍波の高調波成分）をまとめて除去することができるため、通信システム毎にローバスフィルタをそれぞれ設ける場合に比較して、素子数が少なくなる分、省スペース化を図ることができる。
【発明を実施するための最良の形態】
【００１３】
以下、本発明の実施の形態を実施例に基づいて以下の順序で説明する。
Ａ．第１の実施例：
Ｂ．第２の実施例：
Ｃ．第３の実施例：
Ｄ．変形例：
【００１４】
Ａ．第１の実施例：
図１は本発明の第１の実施例としてのアンテナスイッチモジュールの回路図であり、図２は図１のアンテナスイッチモジュールの外観を示す斜視図である。
【００１５】
図１に示すように、本実施例のアンテナスイッチモジュール１００Ａは、アンテナ端子ＡＮＴに接続されるローパスフィルタ１０２と、そのローパスフィルタ１０２に接続される分波回路１０４と、その分波回路１０４にそれぞれ接続されるスイッチング回路１０６，１０８と、スイッチング回路１０６に接続される整合回路１１０と、その整合回路１１０にそれぞれ接続される２つのＳＡＷフィルタ１１２，１１４と、スイッチング回路１０６に接続されるローパスフィルタ１１６と、スイッチング回路１０８に接続される整合回路１１８と、その整合回路１１８にそれぞれ接続される２つのＳＡＷフィルタ１２０，１２２と、を備えている。
【００１６】
なお、本実施例において、分波回路１０４は、請求項における分波回路に、スイッチング回路１０６，１０８は、請求項におけるスイッチング回路に、ＳＡＷフィルタ１１２，１１４，１２０，１２２は、請求項におけるＳＡＷフィルタに、ローパスフィルタ１０２は、請求項におけるローパスフィルタに、それぞれ相当する。
【００１７】
図２に示すように、このアンテナスイッチモジュール１００Ａは、絶縁層であるセラミックと導体層とで構成される多層基板９２から成る積層体９４によって構成される。上記各回路をそれぞれ構成する素子のうち、一部の素子は、表層にチップ部品９６として実装され、残りの素子は、導体層として積層体９４内に内層される。
【００１８】
また、アンテナ端子ＡＮＴ、送信信号端子、受信信号端子、コントロール端子は積層体裏面に形成されている（図示せず）。
【００１９】
このアンテナスイッチモジュール１００Ａは、携帯電話に搭載されるアンテナスイッチ装置であって、ＧＳＭ８５０，ＧＳＭ９００，ＤＣＳ，ＰＣＳ，ＷＣＤＭＡの５つの通信システムに対応している。各通信システムの送信信号及び受信信号の周波数帯域は、表１に示すごとくである。
【表１】
2007259168.tif 000003
【００２０】
図１において、アンテナ端子ＡＮＴは、アンテナ（図示せず）からの受信信号を入力すると共に、送信信号をアンテナに対して出力する。ローパスフィルタ１０２は、表１に示す全ての周波数帯域の信号を通過させ、それ以上の周波数帯域の信号については阻止するフィルタであって、ＤＣＳ，ＰＣＳ及びＷＣＤＭＡの送信信号について、ノイズ成分となる２倍波，３倍波の高調波成分を除去する。なお、本実施例では、ローパスフィルタ１０２として、ＤＣＳ／ＰＣＳ用のローパスフィルタを用いている。すなわち、ＤＣＳ／ＰＣＳ用のローパスフィルタでは、ＤＣＳ及びＰＣＳの送信信号の２倍波以上の周波数を阻止することができるので、ＤＣＳ及びＰＣＳの送信信号の２倍波，３倍波だけでなく、周波数帯域の近いＷＣＤＭＡの送信信号の２倍波，３倍波も十分に阻止することができる。
【００２１】
分波回路１０４は、低い周波数帯域（ＧＳＭ８５０，ＧＳＭ９００）の通信システムの信号を通過させるローパスフィルタ１０４ａと、高い周波数帯域（ＤＣＳ，ＰＣＳ，ＷＣＤＭＡ）の通信システムの信号をハイパスフィルタ１０４ｂと、で構成されている。本実施例では、低い周波数帯域と高い周波数帯域とは１ＧＨｚを境に分けられる。低い周波数帯域（ＧＳＭ８５０，ＧＳＭ９００）の信号を送信または受信するときは、信号はローパスフィルタ１０４ａを通過し、分岐点１０４ｃからハイパスフィルタ１０４ｂ側は低い周波数の信号に対して良好なアイソレーションが得られているため、信号がハイパスフィルタ１０４ｂ側に漏れることはない。また、高い周波数帯域（ＤＣＳ，ＰＣＳ，ＷＣＤＭＡ）の信号を送信または受信するときは、信号はハイパスフィルタ１０４ｂを通過し、分岐点１０４ｃからローパスフィルタ１０４ａ側は高い周波数に対して良好なアイソレーションが得られており、信号がローパスフィルタ１０４ａ側に漏れることはない。すなわち、分波回路１０４は、低い周波数帯域の通信システムの信号と高い周波数帯域の通信システムの信号を分波する機能を有している。
【００２２】
スイッチング回路１０６は、ＧＳＭ８５０の受信信号及びＧＳＭ９００の受信信号と、ＧＳＭ８５０の送信信号及びＧＳＭ９００の送信信号と、を切り換えるための切り換え回路である。コントロール端子ＶＣ１に直流電圧を印加していない場合には、スイッチング回路１０６内の２つのダイオード１０６ａ，１０６ｂがそれぞれオフ状態となっているため、アンテナから分波回路１０４を介して得られる低い周波数帯域（ＧＳＭ８５０，ＧＳＭ９００）の通信システムの受信信号は、スイッチング回路１０６によって、整合回路１１０に送られる。整合回路１１０では、ＧＳＭ８５０，ＧＳＭ９００の通信システムの受信信号それぞれについて、一方のＳＡＷフィルタを通過させる周波数帯域で、他方のＳＡＷフィルタからの信号漏れが少なくなるように、インピーダンス整合を行っている。
【００２３】
また、コントロール端子ＶＣ１に直流電圧を印加した場合には、スイッチング回路１０６内の２つのダイオード１０６ａ，１０６ｂがそれぞれオン状態となるため、送信信号端子ＴＸ＿１／ＧＳＭ８５０／９００からローパスフィルタ１１６を介して入力される低い周波数帯域（ＧＳＭ８５０，ＧＳＭ９００）の通信システムの送信信号は、スイッチング回路１０６によって、分波回路１０４を介してアンテナ端子に送られる。なお、ローパスフィルタ１１６は、低い周波数帯域（ＧＳＭ８５０，ＧＳＭ９００）の周波数帯域の通信システムの信号を通過させ、それ以上の通信システムの信号については阻止するフィルタであって、低い周波数帯域（ＧＳＭ８５０，ＧＳＭ９００）の周波数帯域の通信システムの送信信号について、ノイズ成分となる２倍波，３倍波の高調波成分を除去する。
【００２４】
スイッチング回路１０８は、ＤＣＳの受信信号及びＰＣＳの受信信号と、ＷＣＤＭＡの送受信信号と、ＤＣＳの送信信号及びＰＣＳの送信信号と、を切り換えるための切り換え回路である。コントロール端子ＶＣ２，ＶＣ３に直流電圧を印加していない場合には、スイッチング回路１０８内の３つのダイオード１０８ａ，１０８ｂ，１０８ｃがそれぞれオフ状態となっているため、アンテナから分波回路１０４を介して得られる高い周波数帯域（ＤＣＳ，ＰＣＳ，ＷＣＤＭＡ）の通信システムの受信信号は、スイッチング回路１０６によって送受信信号端子ＴＸ／ＲＸ／ＷＣＤＭＡに送られる。この送受信信号端子ＴＸ／ＲＸ／ＷＣＤＭＡの後段には、ＷＣＤＭＡ専用の回路（図示せず）が接続されており、ＤＣＳ，ＰＣＳ，ＷＣＤＭＡの受信信号の中から、ＷＣＤＭＡの受信信号のみを抽出する。
【００２５】
また、コントロール端子ＶＣ２のみに直流電圧を印加した場合には、スイッチング回路１０８内の３つのダイオードのうち、ダイオード１０８ａはオフ状態のままであるが、他の２つのダイオード１０８ｂ，１０８ｃがそれぞれオン状態となるため、送信信号端子ＴＸ＿２／ＤＣＳ／ＰＣＳから入力される高い周波数帯域（ＤＣＳ，ＰＣＳ）の通信システムの送信信号は、スイッチング回路１０８によって、分波回路１０４を介してアンテナ端子に送られる。
【００２６】
さらに、コントロール端子ＶＣ３のみに直流電圧を印加した場合には、スイッチング回路１０８内の３つのダイオードのうち、ダイオード１０８ｃはオフ状態のままであるが、他の２つのダイオード１０８ａ，１０８ｂがそれぞれオン状態となるため、アンテナから分波回路１０４を介して得られる高い周波数帯域（ＤＣＳ，ＰＣＳ，ＷＣＤＭＡ）の受信信号は、スイッチング回路１０６によって、整合回路１１８に送られる。整合回路１１８では、ＤＣＳ，ＰＣＳの受信信号について、一方のＳＡＷフィルタを通過させる周波数帯域で、他方のＳＡＷフィルタからの信号漏れが少なくなるように、インピーダンス整合を行っている。
【００２７】
それでは、本発明の特徴部分であるＳＡＷフィルタについて説明する。整合回路１１０からの信号線は、２分岐されて、各々、ＳＡＷフィルタ１１２，１１４に接続されて、ＳＡＷフィルタ１１２からの信号線は受信信号端子ＲＸ＿１／ＧＳＭ８５０に、ＳＡＷフィルタ１１４からの信号線は受信信号端子ＲＸ＿２／ＧＳＭ９００に、それぞれ接続されている。一方、整合回路１１８からの信号線も、２分岐されて、各々、ＳＡＷフィルタ１２０，１２２に接続されて、ＳＡＷフィルタ１２０からの信号線は受信信号端子ＲＸ＿３／ＤＣＳに、ＳＡＷフィルタ１２２からの信号線は受信信号端子ＲＸ＿４／ＰＣＳに、それぞれ接続されている。
【００２８】
従って、前述したとおり、スイッチング回路１０６において、コントロール端子ＶＣ１に直流電圧を印加していない場合に、アンテナから分波回路１０４を介して得られる低い周波数帯域（ＧＳＭ８５０，ＧＳＭ９００）の通信システムの受信信号が、整合回路１１０に送られると、その受信信号は、整合回路１１０を通過した後、２分岐されて、２つのＳＡＷフィルタ１１２，１１４にそれぞれ入力される。ＳＡＷフィルタ１１２は、ＧＳＭ８５０の受信信号の周波数帯域を通過帯域とするフィルタであるため、ＧＳＭ８５０，ＧＳＭ９００の受信信号のうち、ＧＳＭ８５０の受信信号のみを通過させ、受信信号端子ＲＸ＿１／ＧＳＭ８５０より出力させる。一方、ＳＡＷフィルタ１１４は、ＧＳＭ９００の受信信号の周波数帯域を通過帯域とするフィルタであるため、ＧＳＭ８５０，ＧＳＭ９００の受信信号のうち、ＧＳＭ９００の受信信号のみを通過させ、受信信号端子ＲＸ＿２／ＧＳＭ９００より出力させる。
【００２９】
また、前述したとおり、スイッチング回路１０８において、コントロール端子ＶＣ３のみに直流電圧を印加した場合には、アンテナから分波回路１０４を介して得られる高い周波数帯域（ＤＣＳ，ＰＣＳ，ＷＣＤＭＡ）の通信システムの受信信号が整合回路１１８に送られる。すると、その受信信号は、整合回路１１８を通過した後、２分岐されて、２つのＳＡＷフィルタ１２０，１２２にそれぞれ入力される。ＳＡＷフィルタ１２０は、ＤＣＳの受信信号の周波数帯域を通過帯域とするフィルタであるため、ＤＣＳ，ＰＣＳの受信信号のうち、ＤＣＳの受信信号のみを通過させ、受信信号端子ＲＸ＿３／ＤＣＳより出力させる。一方、ＳＡＷフィルタ１２２は、ＰＣＳの受信信号の周波数帯域を通過帯域とするフィルタであるため、ＤＣＳ，ＰＣＳの受信信号のうち、ＰＣＳの受信信号のみを通過させ、受信信号端子ＲＸ＿４／ＰＣＳより出力させる。
【００３０】
以上のように、本実施例では、スイッチング回路１０６の後段に、ＧＳＭ８５０に対応するＳＡＷフィルタ（すなわち、ＧＳＭ８５０の受信信号の周波数帯域を通過帯域とするＳＡＷフィルタ）１１２と、ＧＳＭ９００に対応するＳＡＷフィルタ（すなわち、ＧＳＭ９００の受信信号の周波数帯域を通過帯域とするＳＡＷフィルタ）１１４と、を設け、スイッチング回路１０６から整合回路１１０を介して出力された受信信号を２分岐して、２つのＳＡＷフィルタ１１２，１１４にそれぞれ入力させ、各ＳＡＷフィルタ１１２，１１４によって、必要な周波数帯域の受信信号のみを取り出すようにしている。同様に、スイッチング回路１０８の後段に、ＤＣＳに対応するＳＡＷフィルタ（すなわち、ＤＣＳの受信信号の周波数帯域を通過帯域とするＳＡＷフィルタ）１２０と、ＰＣＳに対応するＳＡＷフィルタ（すなわち、ＰＣＳの受信信号の周波数帯域を通過帯域とするＳＡＷフィルタ）１２２と、を設け、スイッチング回路１０８から整合回路１１８を介して出力された受信信号をそれぞれ２分岐して、２つのＳＡＷフィルタ１２０，１２２にそれぞれ入力させ、各ＳＡＷフィルタ１２０，１２２によって、必要な周波数帯域の受信信号のみを取り出すようにしている。
【００３１】
従って、本実施例によれば、スイッチング回路の後段に、通信システムに対応するＳＡＷフィルタ、すなわち、その通信システムにおける受信信号の周波数帯域を通過帯域とするＳＡＷフィルタをそれぞれ設け、スイッチング回路から出力されて分岐された受信信号を、それらＳＡＷフィルタにそれぞれ入力させるようにするだけであって、従来のごとく、スイッチング回路において、切り換えるべき信号の数を増やす必要がないため、スイッチング回路におけるダイオード，インダクタ，コンデンサなどの素子の数やコントロール端子の数を増やすことなく、対応する通信システムの数を増やすことができる。
【００３２】
また、本実施例では、アンテナ端子ＡＮＴと分波回路１０４との間にローパスフィルタ１０２を設け、このローパスフィルタ１０２によって、ＤＣＳ，ＰＣＳ及びＷＣＤＭＡの送信信号に対するノイズ成分（すなわち、２倍波，３倍波の高調波成分）をまとめて除去するようにしているため、スイッチング回路の後段に通信システム毎にローバスフィルタをそれぞれ設ける場合に比較して、素子数が少なくなる分、省スペース化を図ることができる。
【００３３】
Ｂ．第２の実施例：
図３は本発明の第２の実施例としてのアンテナスイッチモジュールの回路図である。
【００３４】
本実施例のアンテナスイッチモジュール１００Ｂが、図１に示した第１の実施例におけるアンテナスイッチモジュール１００Ａと、構成上異なる点は、図３に示すように、スイッチング回路１０８の代わりに、２つのスイッチング回路１０７，１０９を設けた点である。なお、その他の構成要素については、図１に示した第１の実施例と同様であるので、それらの説明は省略する。
【００３５】
上記した２つのスイッチング回路のうち、前段のスイッチング回路１０７は、ＤＣＳの受信信号及びＰＣＳの受信信号と、ＤＣＳの送信信号，ＰＣＳの送信信号及びＷＣＤＭＡの送受信信号と、を切り換えるための切り換え回路である。一方、後段のスイッチング回路１０９は、ＤＣＳの受信信号及びＰＣＳの受信信号と、ＷＣＤＭＡの送受信信号と、を切り換えるための切り換え回路である。コントロール端子ＶＣ２，ＶＣ３に直流電圧を印加していない場合には、スイッチング回路１０７内の２つのダイオード１０７ａ，１０７ｂと、スイッチング回路１０９内の２つのダイオード１０９ａ，１０９ｂと、がそれぞれオフ状態となっているため、アンテナから分波回路１０４を介して得られる高い周波数帯域（ＤＣＳ，ＰＣＳ，ＷＣＤＭＡ）の通信システムの受信信号は、スイッチング回路１０７によって、別のスイッチング回路１０９に送られ、さらに、スイッチング回路１０９によって、切り替えられ送受信信号端子ＴＸ／ＲＸ／ＷＣＤＭＡに送られる。この送受信信号端子ＴＸ／ＲＸ／ＷＣＤＭＡの後段には、第１の実施例の場合と同様に、ＷＣＤＭＡ専用の回路（図示せず）が接続されており、ＤＣＳ，ＰＣＳ，ＷＣＤＭＡの受信信号の中から、ＷＣＤＭＡの受信信号のみを抽出する。
【００３６】
また、コントロール端子ＶＣ２のみに直流電圧を印加した場合には、スイッチング回路１０７内の２つのダイオード１０７ａ，１０７ｂがそれぞれオン状態となるため、送信信号端子ＴＸ＿２／ＤＣＳ／ＰＣＳから入力される高い周波数帯域（ＤＣＳ，ＰＣＳ）の送信信号は、スイッチング回路１０７によって、分波回路１０４を介してアンテナに送られる。
【００３７】
さらに、コントロール端子ＶＣ３のみに直流電圧を印加した場合には、スイッチング回路１０７内の２つのダイオード１０７ａ，１０７ｂはオフ状態のままであるが、スイッチング回路１０９内の２つのダイオード１０９ａ，１０９ｂがそれぞれオン状態となるため、アンテナから分波回路１０４を介して得られる高い周波数帯域（ＤＣＳ，ＰＣＳ，ＷＣＤＭＡ）の通信システムの受信信号は、スイッチング回路１０７によって、スイッチング回路１０９に送られ、さらに、スイッチング回路１０９によって、整合回路１１８に送られる。整合回路１１８では、第１の実施例の場合と同様に、ＤＣＳ，ＰＣＳの受信信号について、一方のＳＡＷフィルタを通過させる周波数帯域で、他方のＳＡＷフィルタからの信号漏れが少なくなるように、インピーダンス整合を行っている。その受信信号は、整合回路１１０を介した後、２分岐されて、２つのＳＡＷフィルタ１１２，１１４にそれぞれ入力される。ＳＡＷフィルタ１１２は、第１の実施例の場合と同様に、ＧＳＭ８５０の受信信号の周波数帯域を通過帯域とするフィルタであるため、ＧＳＭ８５０の受信信号のみを通過させ、受信信号端子ＲＸ＿１／ＧＳＭ８５０より出力させる。一方、ＳＡＷフィルタ１１４は、ＧＳＭ９００の受信信号の周波数帯域を通過帯域とするフィルタであるため、ＧＳＭ９００の受信信号のみを通過させ、受信信号端子ＲＸ＿２／ＧＳＭ９００より出力させる。
【００３８】
以上のように、本実施例では、スイッチング回路１０９の後段に、ＤＣＳに対応するＳＡＷフィルタ１２０と、ＰＣＳに対応するＳＡＷフィルタ１２２と、を設け、スイッチング回路１０９から整合回路１１８を介して出力された受信信号をそれぞれ２分岐して、２つのＳＡＷフィルタ１２０，１２２にそれぞれ入力させ、各ＳＡＷフィルタ１２０，１２２によって、必要な周波数帯域の受信信号のみを取り出すようにしている。従って、本実施例においても、第１の実施例と同様の効果を奏することができる。
【００３９】
Ｃ．第３の実施例：
図４は本発明の第３の実施例としてのアンテナスイッチモジュールの回路図である。
【００４０】
本実施例のアンテナスイッチモジュール１００Ｃが、図１に示した第１の実施例におけるアンテナスイッチモジュール１００Ａと、構成上異なる点は、図４に示すように、スイッチング回路１０８の代わりに、ＧａＡｓスイッチ１２４を設けた点である。なお、その他の構成要素については、図１に示した第１の実施例と同様であるので、それらの説明は省略する。
【００４１】
このように、本実施例では、ダイオード，コンデンサ，インダクタ等で構成されるスイッチング回路１０８に代えて、ＧａＡｓ半導体によって構成されるＧａＡｓスイッチ１２４をスイッチング回路として用いることにより、ダイオード，コンデンサ，インダクタ等の素子数を減らすことができる。
【００４２】
また、本実施例では、ＧａＡｓスイッチ１２４の後段に、ＤＣＳに対応するＳＡＷフィルタ１２０と、ＰＣＳに対応するＳＡＷフィルタ１２２と、を設け、ＧａＡｓスイッチ１２４から整合回路１１８を介して出力された受信信号をそれぞれ２分岐して、２つのＳＡＷフィルタ１２０，１２２にそれぞれ入力させ、各ＳＡＷフィルタ１２０，１２２によって、必要な周波数帯域の受信信号のみを取り出すようにしている。従って、本実施例においても、第１の実施例と同様の効果を奏することができる。
【００４３】
Ｄ．変形例：
なお、本発明は上記した実施例や実施形態に限られるものではなく、その要旨を逸脱しない範囲において種々の態様にて実施することが可能である。
【００４４】
上記した実施例においては、ＤＣＳ，ＰＣＳ及びＷＣＤＭＡの送信信号に対するノイズ成分（すなわち、２倍波，３倍波の高調波成分）をまとめて除去するためのローパスフィルタ１０２を、アンテナ端子ＡＮＴと分波回路１０４との間に設けるようにしたが、本発明はこれに限定されるものではなく、第１の実施例では、分波回路１０４とスイッチング回路１０８との間に、第２の実施例では、分波回路１０４とスイッチング回路１０７との間に、第３の実施例では、分波回路１０４とＧａＡｓスイッチ１２４との間に、ローパスフィルタ１０２を設けるようにしてもよい。
【００４５】
上記した実施例においては、アンテナスイッチモジュールは、携帯電話に搭載されるものとして説明したが、本発明はこれに限定されるものではなく、他の通信装置に搭載するようにしてもよい。
【００４６】
上記した第３の実施例では、ダイオード，コンデンサ，インダクタ等で構成されるスイッチング回路１０８に代えて、ＧａＡｓ半導体によって構成されるＧａＡｓスイッチ１２４をスイッチング回路として用いるようにしたが、本発明はこれに限定されるものではなく、スイッチング回路１０６に代えて、ＧａＡｓスイッチを用いるようにしてもよいし、或いは、分波回路１０４，スイッチング回路１０６，１０８の代わりに、ＧａＡｓスイッチを用いるようにしてもよい。
【図面の簡単な説明】
【００４７】
【図１】本発明の第１の実施例としてのアンテナスイッチモジュールを示す回路図である。
【図２】図１のアンテナスイッチモジュールの外観を示す斜視図である。
【図３】本発明の第２の実施例としてのアンテナスイッチモジュールを示す回路図である。
【図４】本発明の第３の実施例としてのアンテナスイッチモジュールを示すブロック図である。
【符号の説明】
【００４８】
９２...多層基板
９４...積層体
９６...チップ部品
１００Ａ...アンテナスイッチモジュール
１００Ｂ...アンテナスイッチモジュール
１００Ｃ...アンテナスイッチモジュール
１０２...ローパスフィルタ
１０４...分波回路
１０４ａ...ローパスフィルタ
１０４ｂ...ハイパスフィルタ
１０４ｃ...分岐点
１０６，１０８...スイッチング回路
１０６ａ，１０６ｂ...ダイオード
１０７，１０９...スイッチング回路
１０７ａ，１０７ｂ...ダイオード
１０８ａ，１０８ｂ，１０８ｃ...ダイオード
１０９ａ，１０９ｂ...ダイオード
１１０...整合回路
１１２，１１４，１２０，１２２...ＳＡＷフィルタ
１１６...ローパスフィルタ
１１８...整合回路
１２０，１２２...ＳＡＷフィルタ
１２４...ＧａＡｓスイッチ
ＡＮＴ...アンテナ端子
ＶＣ１...コントロール端子
ＶＣ２...コントロール端子
ＶＣ３...コントロール端子
【図１】
2007259168.tif 000004
【図２】
2007259168.tif 000005
【図３】
2007259168.tif 000006
【図４】
2007259168.tif 000007